【手続補正書】
【提出日】平成24年1月24日(2012.1.24)
【手続補正１】
【補正対象書類名】特許請求の範囲
【補正対象項目名】全文
【補正方法】変更
【補正の内容】
【特許請求の範囲】
【請求項１】
捕捉された傾斜画像に基づいて、表示し、測定するためのコンピュータ化システムであって、
対応する地理的位置データを有する複数の捕捉された傾斜画像と、前記捕捉された複数の傾斜画像において表現された地形の少なくとも一部を近似するグラウンド面データを記憶するデータテーブルと、を読み取る画像表示及び解析ソフトウェアを実行するコンピュータシステムと、
１以上の前記傾斜画像を表示する少なくとも一つの表示装置と、
表示された前記傾斜画像における２以上の選択点の選択を入力する入力装置と
を備え、
前記コンピュータシステムにより実行された前記画像表示及び解析ソフトウェアは、前記コンピュータシステムに、
捕捉され地理的位置決めされた複数の傾斜画像の少なくとも一つを表示させ、
前記入力装置を介した２以上の前記選択点の選択に応じて前記２以上の選択点を接続する複数の線セグメントを形成するために、前記２以上の選択点の間に位置する１以上の中間点を選択させ、前記グラウンド面データを用いて、対応する前記傾斜画像における地形に沿って各点を接続する線セグメントを形成させ、
前記２以上の選択点の間の前記複数の線セグメントの距離を演算させる
コンピュータ化システム。
【請求項２】
請求項１に記載のコンピュータ化システムであって、
前記グラウンド面データは、表示された前記傾斜画像において表現された地形の少なくとも一部を近似するモザイク状グラウンド面データを含み、前記モザイク状グラウンド面データは、複数の相互接続したファセットを有し、それぞれの前記ファセットは、それぞれのピッチ及び傾斜を有する、コンピュータ化システム。
【請求項３】
請求項２に記載のコンピュータ化システムであって、
それぞれの前記中間点は、いずれかの前記ファセットに従っている、コンピュータ化システム。
【請求項４】
請求項２または３に記載のコンピュータ化システムであって、
前記画像表示及び解析ソフトウェアは、
前記２以上の選択点および前記１以上の中間点に対応する前記ファセットを決定し、
各点の仰角を演算し、
演算された仰角を用いて、前記線セグメントに沿った前記２以上の選択点の間の距離を計算する、コンピュータ化システム。
【請求項５】
請求項２から４のいずれか一項に記載のコンピュータ化システムであって、
前記モザイク状グラウンド面データは、前記表示された傾斜画像に重ね合わされ、適合する、コンピュータ化システム。
【請求項６】
請求項２から５のいずれか一項に記載のコンピュータ化システムであって、
前記ファセットは各々、前記表示された傾斜画像の等しい面積に対応している、コンピュータ化システム。
【請求項７】
請求項２から６のいずれか一項に記載のコンピュータ化システムであって、前記ファセットは各々、前記表示された傾斜画像の等しい画素数に対応している、コンピュータ化システム。
【請求項８】
請求項１から７のいずれか一項に記載のコンピュータ化システムであって、前記画像表示及び解析ソフトウェアは、プルダウンメニューコマンド、ツールバーコマンド及びキーボードコマンドの少なくとも１つによりアクセス可能であるユーザ選択可能測定モードを有する、コンピュータ化システム。
【請求項９】
請求項１から８のいずれか一項に記載のコンピュータ化システムであって、
前記複数の捕捉された傾斜画像の各々は画像捕捉装置により捕捉されたものであり、前記地理的位置データは：
傾斜画像が捕捉されたときに、時間を表す時間データ；
傾斜画像が捕捉されたときに、前記画像捕捉装置の位置を表す位置データ；
傾斜画像が捕捉されたときに、前記画像捕捉装置の方位を表す方位データ；
前記画像捕捉装置についての補正係数を表す補正データ；及び
前記画像捕捉装置により捕捉された面の平均仰角を表す仰角データ；
の少なくとも１つを更に有する、コンピュータ化システム。
【請求項１０】
請求項９に記載のコンピュータ化システムであって、前記位置データは、傾斜画像が捕捉されたときの、前記画像捕捉装置の緯度、経度及び高度を含む、コンピュータ化システム。
【請求項１１】
請求項９に記載のコンピュータ化システムであって、前記方位データは、傾斜画像が捕捉されたときに、前記画像捕捉装置のロール、ピッチ、ヨー及び頭出しを含む、コンピュータ化システム。
【請求項１２】
請求項９に記載のコンピュータ化システムであって、前記画像捕捉装置はカメラであり、前記補正データは、焦点距離、センササイズ、アスペクト比、主点オフセット、歪及びピクセルピッチを含む、コンピュータ化システム。
【請求項１３】
請求項１から１２のいずれか一項に記載のコンピュータ化システムであって：
画像捕捉装置であって、該画像捕捉装置は、傾斜画像を捕捉し、捕捉された画像に対応する画像データ信号を発する、画像捕捉装置；及び
少なくとも１つの地理的位置決め装置であって、前記少なくとも１つの地理的位置決め装置の各々は、対応する少なくとも１つの地理的位置決め信号を発し、前記少なくとも１つの地理的位置決め信号の各々は、前記画像捕捉装置の地理的位置の少なくとも一部を表すことが可能である、地理的位置決め装置；
を更に有する、コンピュータ化システムであり、
前記コンピュータシステムは、前記画像データ信号及び前記少なくとも１つの地理的位置決め信号を受け入れ及び記憶し；
前記画像表示及び解析ソフトウェアは、前記画像データ信号及び前記少なくとも１つの地理的位置決め信号を読み取り、前記画像表示及び解析ソフトウェアは、対応する前記少なくとも１つの地理的位置決め信号に各々の前記画像データ信号を関連付ける；コンピュータ化システム。
【請求項１４】
表示された傾斜画像に基づいて計測するコンピュータ化方法であって、
入力装置から、表示された画像における開始点および終了点の選択を受け取る段階と、
位置データファイルから、前記開始点および前記終了点の位置データを検索する段階と、
表示された前記傾斜画像により表現された地形の少なくとも一部を近似するグラウンド面データを参照する段階と、
前記開始点および前記終了点を複数の線セグメントで接続する段階であって、線セグメントは前記グラウンド面データに適合し、それにより、前記線セグメントは前記地形を辿ることができる段階と、
前記開始点と前記終了点との間の前記線セグメントに沿って線形距離を演算することで、前記線セグメントの前記グラウンド面データを考慮した前記距離を算出する段階と
を備えるコンピュータ化方法。
【請求項１５】
請求項１４に記載のコンピュータ化方法であって、
前記グラウンド面データは、前記表示された傾斜画像に重ね合わされる、コンピュータ化方法。
【請求項１６】
請求項１４に記載のコンピュータ化方法であって、
入力装置から、前記表示された画像における１以上の中間点の選択を受け取る段階と、
前記１以上の中間点に対応する地理的位置データを検索する段階と、
隣接する中間点、前記開始点及び前記終了点を線セグメントで接続し、前記線セグメントは前記グラウンド面データに適合し、それにより、前記線セグメントが前記地形に倣う段階と、
前記開始点と前記終了点との間の前記線セグメントに沿った距離を演算する段階と
を更に備えるコンピュータ化方法。
【請求項１７】
請求項１に記載のコンピュータシステムを機能させるプログラムであって、
前記コンピュータシステムに、
捕捉され地理的位置決めされた複数の傾斜画像の少なくとも一つを表示させ、
前記入力装置を介した２以上の前記選択点の選択に応じて前記２以上の選択点を接続する複数の線セグメントを形成するために、前記２以上の選択点の間に位置する１以上の中間点を選択させ、前記グラウンド面データを用いて、前記線セグメントに対応する前記傾斜画像における地形に沿って各点を接続する前記線セグメントを形成させ、
前記２以上の選択点の間の前記複数の線セグメントの距離を演算させる、プログラム。
【手続補正２】
【補正対象書類名】明細書
【補正対象項目名】発明の名称
【補正方法】変更
【補正の内容】
【発明の名称】捕捉された傾斜画像に基づいて測定するためのコンピュータ化システム及びコンピュータ化方法、並びに、プログラム
【手続補正３】
【補正対象書類名】明細書
【補正対象項目名】００１４
【補正方法】変更
【補正の内容】
【００１４】
本発明は、その一形態において、捕捉された傾斜画像に基づいて、表示し、測定するためのコンピュータ化システムであって、対応する地理的位置データを有する複数の捕捉された傾斜画像と、捕捉された複数の傾斜データにおいて表現された地形の少なくとも一部を近似するグラウンド面データを記憶するデータテーブルと、を読み取る画像表示及び解析ソフトウェアを実行するコンピュータシステムと、１以上の傾斜画像を表示する少なくとも一つの表示装置と、表示された傾斜画像における１以上の選択点の選択を入力する入力装置とを備え、コンピュータシステムにより実行された画像表示及び解析ソフトウェアは、コンピュータシステムに、捕捉され地理的位置決めされた複数の傾斜画像の少なくとも一つを表示させ、入力装置を介した２以上の選択点の選択に応じて２以上の選択点を接続する複数の線セグメントを形成するために、２以上の選択点の間に位置する１以上の中間点を選択させ、グラウンド面データを用いて、線セグメントに対応する傾斜画像における地形に沿って各点を接続する線セグメントを形成させ、２以上の選択点の間の複数の線セグメントの距離を演算させるコンピュータ化システムである。